(57)【要約】太陽電池パネル（１）用の支持システムは、幅狭の開口部（７）を備えたアンダーカットキャビティ（６）を断面において画定する少なくとも１個の支持部（２）を有すると共に、少なくとも１個の固定手段（３）を有し、固定手段（３）は、ねじ手段と、このねじ手段（１０）のねじ部（１１）と相互係合するナットプレート（１４）と、クランププレート（１５）とを備え、ナットプレート（１４）を開口部（７）を通して支持部（２）内に挿入し、その後、ナットプレートを回転させることでアンダーカットキャビティ（６）内に係止させることができ、クランププレート（１５）を支持部（２）と離れる方向を向いたパネル（１）の側面に置くことができ、ねじ手段（１０）を締めつけることによってパネル（１）を支持部（２）上に強固に固定できる。固定手段（３）は、ねじ手段（１０）上に押圧装着されると共にナットプレート（１４）とクランププレート（１５）との間に位置する補助支持体（２２）を有し、この補助支持体（２２）が支持部に固定可能である。
2005526202.tif 000002
【特許請求の範囲】
【請求項１】
太陽電池パネル（１）を支持可能な少なくとも１個の支持部（２）と、太陽電池パネル（１）を支持部（２）上に固定するための少なくとも１個の固定手段（３）とを有し、支持部（２）は、一対の長手方向縁部（８）によって境界が画定された幅狭の開口部（７）を備えたアンダーカットキャビティ（６）を断面において画定し、固定手段（３）は、ボルト（１０）などのねじ手段と、このねじ手段（１０）のねじ部（１１）と相互係合するナットプレート（１４）と、ねじ手段（１０）の軸部（１２）上に押圧装着されたクランププレート（１５）とを備え、ナットプレート（１４）を開口部（７）を通して支持部（２）内に挿入し、その後、ナットプレートを回転させることでアンダーカットキャビティ（６）内に係止させることができ、クランププレート（１５）は支持部（２）と離れる方向を向いたパネル（１）の側面に置くことができ、ねじ手段（１０）を締めつけることによってパネル（１）を支持部（２）上に強固に固定できる太陽電池パネル等のパネル（１）用の支持システムであって、固定手段（３）が、ねじ手段（１０）上に押圧装着されると共にナットプレート（１４）とクランププレート（１５）との間に位置する補助支持体（２２）を有し、この補助支持体（２２）が支持部（２）に固定可能であることを特徴とする支持システム。
【請求項２】
補助支持体（２２）は、スナップ嵌め結合で支持部（２）に固定できる、請求項１に記載の支持システム。
【請求項３】
補助支持体（２２）は、支持部（２）の互いに対向する長手方向縁部（８）の側部の間で固定できる、請求項１又は２に記載の支持システム。
【請求項４】
支持部（２）の長手方向縁部（８）及び補助支持体（２２）の対向する縁部は、スナップ嵌め効果を得るために隆起部（９、２８、２９）及び／又はリセスを備えている、先の請求項の内の１項に記載の支持システム。
【請求項５】
補助支持体（２２）は両側部に第１の突起（２８）を備え、支持部（２）の長手方向縁部（８）は外方に向く支持表面（３０）を備え、補助支持体（２２）が支持部（２）にスナップ嵌めされた時、第１の突起（２８）が支持表面（３０）上で支持される、請求項４に記載の支持システム。
【請求項６】
支持部（２）は、長手方向縁部（８）の互いに対向する側部上に隆起部（９）を備え、補助支持体（２２）は、前記隆起部（９）の下側にスナップ嵌めできる第２の突起（２９）を備えている、請求項５に記載の支持システム。
【請求項７】
補助支持体（２２）は、支持部（２）に固定可能な支持脚部（２３）を備えると共に、ガイド（２４）を備え、このガイド（２４）は支持脚部（２３）に対して直立しており、このガイド（２４）に対してボルト（１０）を長手方向に摺動できる、先の請求項の内の１項に記載の支持システム。
【請求項８】
ねじ手段（１０）の頭部（１３）とガイド（２４）との間にプリテンションばね（２６）が設けられ、ねじ手段（１０）に螺合させたナットプレート（１４）が、プリテンションにより、ガイド（２４）から離れる方向を向いた支持脚部（２３）の側面に当接している、請求項７に記載の支持システム。
【請求項９】
支持脚部（２３）が、ナットプレート（１４）の側部に設けられた直径方向に互いに対向する主ストッパ（３２）を備えており、この主ストッパ（３２）は、ナットプレート（１４）を支持部（２）の開口（７）内に挿入できる位置を決定する、請求項８に記載の支持システム。
【請求項１０】
支持脚部（２３）が、ナットプレート（１４）の側部に設けられた直径方向に互いに対向する補助ストッパ（３３）を備えており、ナットプレート（１４）を主ストッパ（３２）と補助ストッパ（３３）との間の位置に位置決めでき、補助ストッパ（３３）の支持脚部（２３）に対する高さは、ばねのプリテンションに打ち勝ってねじ手段（１０）を変位させた後、補助ストッパを越えてナットプレート（１４）を回転できる高さである、請求項９に記載の支持システム。
【請求項１１】
クランププレート（１５）は、回転することなく摺動できるようにガイド（２４）に沿って案内されている、請求項７〜１０の内の１項に記載の支持システム。
【請求項１２】
クランププレート（１５）は、ねじ手段（１０）の軸部（１２）のための穴（１９）、及びガイド（２４）に沿って延在すると共にその平坦部分（２７）と摺接できる２個のフランジ（１８、１９）を備えた部品である、請求項１１に記載の支持システム。
【請求項１３】
ナットプレート（１４）は、ねじ手段（１０）の軸部（１２）のための穴（２０）、及び別体のナット（２１）を回転できないように収容するチャンバを備えた部品である、請求項７〜１２の内の１項に記載の支持システム。
【請求項１４】
ねじ手段（１０）と、ねじ手段（１０）のねじ部（１１）と相互係合するナットプレート（１４）と、ねじ手段（１０）の軸部（１２）に押圧装着されたクランププレート（１５）とを有する、上記の請求項の内の１項による支持システムと共に用いる固定手段（３）であって、ねじ手段（１０）上に押圧装着されると共にナットプレート（１４）とクランププレート（１５）との間に位置する補助支持体（２２）によって特徴づけられる固定手段（３）。
【請求項１５】
一対の長手方向縁部（８）によって境界が画定された幅狭の開口部（７）を備えたアンダーカットキャビティ（６）を断面において画定する、請求項１〜１３の内の１項に記載の支持システムと共に用いる支持部（２）であって、互いに対向する長手方向縁部（８）の側部上の隆起部（９）によって特徴づけられる支持システム（２）。
【発明の詳細な説明】
【技術分野】
【０００１】
本発明は、太陽電池パネル等のパネル用の支持システムに関し、該支持システムは、太陽電池パネルを支持可能な少なくとも１個の支持部と、太陽電池パネルを支持部上に固定するための少なくとも１個の固定手段とを有し、支持部は、一対の長手方向縁部によって境界が画定された開口部を備えたアンダーカットキャビティを断面において画定し、固定手段は、ボルトなどのねじ手段と、このねじ手段のねじ部と相互係合するナットプレートと、ねじ手段の軸部上に押圧装着されたクランププレートとを備え、ナットプレートを開口部を通して支持部内に挿入し、その後、ナットプレートを回転させることでアンダーカットキャビティ内に係止させることができ、クランププレートは支持部と離れる方向を向いたパネルの側面に置くことができ、ねじ手段を締めつけることによってパネルを支持部上に強固に固定できる。
【背景技術】
【０００２】
この種の支持システムは欧州特許第９０５７９５号に開示されている。この支持システムにより、例えば、太陽電池を屋根の上に取り付けることができる。屋根は、出来る限り高い出力を得るために、傾斜した屋根で、太陽に向けられているのが好ましい。
【０００３】
支持システムを設置する時、必要な数（通常、各パネル列に対して２個）の支持部が最初に屋根に取り付けられる。その後、屋根の最も高い部分にある固定手段が締めつけられ、次いで、隣接するパネルが取り付けられる。次の一連の固定手段をその下側にパネルと共に取り付け、隣接する二枚のパネルをそれらの間の固定手段を締めつけることによって固定できるようにしなければならない。
【発明の開示】
【発明が解決しようとする課題】
【０００４】
固定手段の締めつけは、ナットプレートを回転させ、ボルトを締めつけることによって行われる。パネル同士は、同時に正しい位置に保持しなければならないため、この作業には通常二人が必要となる。一人がパネルを所望の位置で支持し、別の一人が固定手段を保持して締めつけなければならない。
【０００５】
そのような手続きは、面倒であり、労働集約的である。設置コストは非常に高い。本発明の目的は、一人だけでパネルを効率的に設置できる支持システムを提供することである。この目的は、固定手段が、ボルト上に押圧装着されると共にナットプレートとクランププレートとの間に位置する補助支持体を有し、この補助支持体を支持部に固定可能とすることで達成される。
【課題を解決するための手段】
【０００６】
本発明による支持システムによってパネルを取り付けるとき、固定手段を事前に支持部に仮止めできる。しかし、この段階では、固定手段は正しい位置に正確に取り付ける必要はない。従って、特に、補助支持体をスナップ嵌め接続によって支持部に固定できるか、及び／又は支持部の互いに対向する長手方向縁部の側部の間に固定できる場合には、固定手段は支持部に沿って容易に摺動させることができる。
【０００７】
この様にして仮取り付けされた固定手段は、パネルが所定の位置に置かれるまで、初期位置にある。これは一人で行うことができ、その後、固定手段を仮りの位置から最終位置に摺動させて所定の位置に固定できる。これによって、パネルの取付けが完了する。
【０００８】
固定手段の仮取り付けは種々の方法で行うことができる。単純な実施形態では、支持部の長手方向縁部及び補助支持体の対向する縁部が、スナップ嵌め効果を得るために隆起部及び／又はリセスを備えている。特に、補助支持体は両側部に第１の突起を備え、支持部の長手方向縁部は外方に向く支持表面を備えることができ、補助支持体が支持部にスナップ嵌めされた時、第１の突起が支持表面上で支持される。支持体が長手方向縁の互いに対向する側部上に隆起部を備え、補助支持体が前記隆起部の下側にスナップ嵌めできる第２の突起を有している場合、摺動を許容する強固な取付けが得られる。
【０００９】
補助支持体には、支持部に固定可能な支持脚部を備えると共に、ガイドを備えることができる。ガイドは支持脚部に対して直立しており、このガイドに対してボルトを長手方向に摺動できる。ボルトの頭部とガイドの間にプリテンションばねを設けることが好ましく、これにより、ボルトに螺合させたナットプレートが、プリテンションにより、ガイドから離れる方向を向いた支持脚部の側部に当接する。その結果、ボルトとナットプレートは、取付けが行われる前に、明確に規定された位置を持つ。これにより、固定手段を支持部の上に置くことを容易にできる。これに関連し、支持脚部が、ナットプレートの側部に直径方向に互いに対向する主ストッパを備えていることも有利である。この主ストッパは、ナットプレートを支持部の開口内に挿入できる位置を決定する。
【００１０】
固定手段が支持部上に置かれた後、支持部の開口の境界を画定する部分の背部にナットプレートを係合できるようにナットプレートを回転させなければないない。この目的のため、支持脚部は、ナットプレートの側部に直径方向に互いに対向する補助ストッパを備えており、ナットプレートを主ストッパと補助ストッパとの間の位置に位置決めでき、補助ストッパの支持脚部に対する高さは、ばねのプリテンションに打ち勝ってボルトを変位させた後、ナットプレートをこれらを越えて回転できる高さである。ナットプレートが支持部に挿入された位置から９０度異なる回転後の位置においては、ナットプレートが主ストッパ及び補助ストッパと再び接触する。
【００１１】
クランププレートは、ボルトの軸部のための穴、及びガイドに沿って延在すると共にその平坦部分と摺接できる２本のアームを備えた部品として構成するのが好ましい。また、ナットプレートは、ボルトの軸部のための穴、及び別体のナットを回転できないように収容するチャンバを備えた部品として構成するのが好ましい。
【００１２】
更に、本発明は、上記の支持システムと共に使用する固定手段に関する。この固定手段は、ボルトと、ボルトのねじ部と相互係合するナットプレートと、ボルトの軸部上に押圧装着されたクランププレートとを有する。本発明によれば、ボルトに押圧装着されると共にナットプレートとクランププレートとの間に位置する補助支持体が設けられている。
【００１３】
また、本発明は、支持システムと共に使用する支持部であって、長手方向縁部によって境界が画定された幅狭の開口部を備えたアンダーカットキャビティを断面において画定する支持部に関する。本発明によれば、互いに対向する長手方向縁部の側部に隆起部が設けられている。
【００１４】
以下、本発明を図示の例示的実施形態を参照してより詳細に説明する。
【発明を実施するための最良の形態】
【００１５】
太陽電池パネル等のパネル１のための図１に示す支持システムは、多数の支持部２を備えているが、図１ではその内の１個だけが見える。この支持システムは更に固定手段３を有し、これによりパネル１が支持部２に固定されている。図３に示すように、支持部２はベース４と直立壁５とを有する。ベース４と直立壁５は、スリット状開口部７を介して開口するアンダーカットキャビティ６を画定している。スリット状開口部７は長手方向縁部８により両側部が画定されており、各縁部８には内方に延在する隆起部９が設けられている。
【００１６】
図４及び図５に示すように、固定手段３は、ねじ部１１、軸部１２及び六角頭部１３を備えたボルト１０から構成される。ナットプレート１４及びクランププレート１５も固定手段３の一部を構成する。ナットプレート１４及びクランププレート１５の各々は、内方に突出した突出部１８を備えた２個のフランジ１７と２個の翼部１６とを備えた部品として構成されている。滑らかな壁面を有する穴１９がクランププレート１６に設けられ、これによりクランププレートをボルト１０の軸部１２上で自由に摺動させることができる。ナットプレートに設けられた穴２０も同様に滑らかであり、図５にも示されているように、ナット２１がフランジ１７間の隙間に挿入され、ボルト１０のねじ部１１がナット２１にねじ込まれている。
【００１７】
本発明によれば、固定手段３は、その全体が２２で示された補助支持体を備えている。この補助支持体２２は、支持脚部２３とスリーブ状ガイド２４とから構成され、このスリーブ状ガイド２４を貫通してボルト１０が摺動可能に嵌め込まれている。スリーブ状ガイド２４はスリーブ２５から構成され、このスリーブ２５の頂部にばね２６が当接している。一方、ばね２６は、クランププレート１５上のフランジ１７の内方に延びた突出部１８に圧接している。
【００１８】
ガイド２４は更に２個の突部２７を有する。図５に示すように、フランジ１７の内方に突出した突出部１８が、ぴったり嵌まった状態で突部２７の回りで摺動できる。
【００１９】
支持脚部２３は第一の突起２８を４個、第二の突起２９を２個有しており、第二の突起２９は第一の突起の下側に位置し、下方に向けてある程度面取りされている。固定手段３が支持部２に取り付けられる時、第二の突起２９は、長手方向縁部８の隆起部９の背部にパチンと嵌まり、第一の突起２８は長手方向縁部８の外側を向いた支持面３０に当接する。このようにして支持部２の上に固定手段３を仮固定することができる。従って、固定手段３を手で保持する必要がなくなり、その結果、パネルを嵌める人は、支持部２上でパネル１を位置決めすることが可能となる。その後、クランププレートの一方の翼部１６がパネル１上の位置に到達するように、固定手段３を所望の位置へ摺動させることができる。
【００２０】
支持部２上に固定手段３を置く時、ナットプレート１４は図４及び図５に示す位置にある。この位置では、ナットプレート１４は、長手方向縁部８及び隆起部９を通過し、アンダーカットキャビティ６内に収納することができる。固定手段３を支持部２に固定するためには、その後、ナットプレート１４を９０度回転させ、プレートの翼部１６を長手方向縁部８に関連する支持部２の部分３１の下方の位置に到達させる必要がある。
【００２１】
ナットプレート１４を９０度回転させることは以下のように簡単に行うことができる。この目的のために、直径方向に互いに対向する主ストッパ３２が支持脚部２３に設けられている。これらの主ストッパは、ナットプレート１４をアンダーカットキャビティ６内に置くことができるナットプレート１４の位置を決定する。また、支持脚部２３は２個の補助ストッパ３３を有し、この補助ストッパも同様に支持脚部２３の他の角部に直径方向に互いに対向するように位置決めされている。これら補助ストッパ３３の寸法は主ストッパ３２の寸法よりも小さい。
【００２２】
そして、ばね２６による弾性力に抗してボルト１０を下方へ押すことにより、ナットプレート１４を支持脚部２３に対して下方に移動させることにより、クランププレート１４は補助ストッパ３３を越えて移動する。この位置において、クランププレート１４を主ストッパ３２と補助ストッパ３３との間で図３に示す位置に回転させることができる。次いでボルト１０を締めることにより、クランププレートの翼部１６を表面３１に対して強固に固定することができる。更に、クランププレートの翼部１６がパネル１に押し付けられ、設置が完了する。
【００２３】
なお、図１〜図３に示す状況では、固定手段３は一連のパネル１の端部に示されている。従って、翼部１６の内の一方が支持ボルト３４により支持されており、隣接するパネル１に良好な接触圧を確実に加えることができる。付加的な特徴として、仕上げストリップ３５がクランププレート１５の関連するフランジ１６とボルト３４の頭部との間でクランプされる。
【００２４】
更に、固定手段３は、当然、２枚のパネル１の間に用いることができ、この場合クランププレート１５の両方の翼部１６がそれぞれ関連するパネル１を押圧する。
【図面の簡単な説明】
【００２５】
【図１】本発明による支持システムをパネルと共に示す。
【図２】図１の支持システムの斜視図を示す。
【図３】支持システムの支持部を通る断面を示す。
【図４】固定手段を分解した状態で示す。
【図５】固定手段を組み立てた状態で示す。
【図１】
2005526202.tif 000003
【図２】
2005526202.tif 000004
【図３】
2005526202.tif 000005
【図４】
2005526202.tif 000006
【図５】
2005526202.tif 000007
【国際調査報告】
2005526202.tif 000008
2005526202.tif 000009